(57)【要約】【課題】肌に接触して使用するもので、肌に接触する部分を清潔な状態に保持することができる肌用装置を提供する。【解決手段】肌用器具１０には、肌に接触する肌接触部１１が備えられる。この肌接触部１１の肌と接触する肌接触面１６には光触媒作用を有する光触媒コーティングが施されている。この肌用器具１０への充電を行う充電装置５０は、この充電装置５０に肌用器具１０をセットした際に、肌接触部１１が配置される配置部としての収納凹部６４を備える。この収納凹部６４には、光触媒コーティングが光触媒作用を起こす波長の光を肌接触面１６に照射する光照射手段としてのＵＶ・ＬＥＤ５３が設けられている。また、肌接触面１６が光を反射する反射面とされるとともに、収納凹部６４に光を反射する反射部材６９が設けられる。【選択図】図３
2010029250.tif 000002
【特許請求の範囲】
【請求項１】
肌に接触した状態で使用されるとともに電力で作動し、当該電力を供給する充電池を備えた肌用器具と、当該肌用器具が着脱自在にセットされて前記充電池の充電を行う充電装置とを備えた肌用装置であって、
前記肌用器具には、肌に接触する肌接触部が備えられるとともに、当該肌接触部の肌と接触する肌接触面には光触媒作用を有する光触媒コーティングが施され、
前記充電装置は、当該充電装置に前記肌用器具をセットした際に、前記肌接触部が配置される配置部を備え、
当該配置部には、前記光触媒コーティングが光触媒作用を起こす波長の光を前記肌接触面に照射する光照射手段が設けられていることを特徴とする肌用装置。
【請求項２】
前記充電装置の前記配置部に前記肌接触面を覆った状態に配置されるとともに前記波長の光を反射する反射部材が設けられていることを特徴とする請求項１に記載の肌用装置。
【請求項３】
前記充電装置は、当該充電装置に前記肌用器具がセットされたのを検知するとともに、当該充電装置から前記肌用器具が取り外されたのを検知する装着検知手段を有し、
前記光照射手段は、前記充電池の充電状態に係わらず、前記装着検知手段により前記肌用器具がセットされたことが検知された際に光を照射し、前記肌用器具が取り外されたことが検知された際に光の照射を停止することを特徴とする請求項１または請求項２に記載の肌用装置。
【発明の詳細な説明】
【技術分野】
【０００１】
本発明は、充電池を有して電気で作動し、肌に対して機能するもので、肌に接触する肌接触面を有する肌用装置に関する。
【背景技術】
【０００２】
近年、肌のトリートメントとして、超音波振動を用いたものや、低周波パルス電流を用いたものや、電圧をかけてイオンを導入するものや、光や遠赤外を照射するものや、これらの一部を組み合わせて用いるものなど、様々な装置が開発されている。
また、このような装置の小型化も進んでおり、エステティックサロン等で使用される業務用ではなく、家庭で使用されるハンディタイプの肌用機器も知られている（たとえば、特許文献１参照）。
【０００３】
また、肌のトリートメント以外にも、マッサージ、脱毛、育毛、髭剃り等の肌に接触する部分を有するハンディタイプの肌用機器が知られている。これらハンディタイプの肌用機器は、充電池を内蔵してコードレスで使用可能である。これら肌用機器では、たとえば、それぞれの専用の充電装置を有し、機器の形状に対応した充電装置に肌用機器セットすることで充電される。
【０００４】
【特許文献１】特開２００５−３２３９７０号公報
【発明の開示】
【発明が解決しようとする課題】
【０００５】
ところで、このような肌用機器の内部には、充電池と各種電気回路が内蔵され、かつ、防水性が付与されていない場合が多いので、水洗いすることができず、たとえば、布や紙で、トリートメント時に使用されたクリームや溶液を拭き取ったり、肌に接触した際に付いた皮脂を拭き取ったりする程度の管理しかできない場合も多い。
この場合に見た目にはきれいであっても、拭き取りきれなかった汚れが残っている可能性が高く、雑菌が繁殖する可能性がある。また、それにより臭いが発生する可能性もあった。
【０００６】
また、殺菌性の溶液や溶剤を染み込ませた布で拭き取ることも考えられるが、殺菌されても汚れが全てとれるとは限らなかった。また、殺菌性の溶液や溶剤が揮発性の場合には、殺菌効果が持続せず、汚れが残ると再び雑菌が繁殖する可能性がある。揮発性でない場合には、殺菌効果が持続する可能性があるが、こんどは、殺菌性の薬剤が肌に接触する部分に残り、使用時に肌に影響を与える恐れがある。
【０００７】
本発明は、前記事情に鑑みて為されたもので、充電を必要とする肌用機器の充電時に拭き取りきれなかった汚れを除去するとともに雑菌の増殖を防止することができる肌用装置を提供することを目的とする。
【課題を解決するための手段】
【０００８】
前記課題を解決するため、本発明の請求項１に記載の肌用装置は、肌に接触した状態で使用されるとともに電力で作動し、当該電力を供給する充電池を備えた肌用器具と、当該肌用器具が着脱自在にセットされて前記充電池の充電を行う充電装置とを備えた肌用装置であって、
前記肌用器具には、肌に接触する肌接触部が備えられるとともに、当該肌接触部の肌と接触する肌接触面には光触媒作用を有する光触媒コーティングが施され、
前記充電装置は、当該充電装置に前記肌用器具をセットした際に、前記肌接触部が配置される配置部を備え、
当該配置部には、前記光触媒コーティングが光触媒作用を起こす波長の光を前記肌接触面に照射する光照射手段が設けられていることを特徴とする。
【０００９】
請求項１に記載の発明においては、肌用器具の肌に接触する肌接触面に光触媒コーティングが施されているので、当該光触媒コーティングに特定の波長の光（たとえば、紫外線）を照射すると、光触媒コーティング面で酸化力が発生し、有機物が分解される。これにより、汚れの除去、消臭、抗菌等の効果を得ることができる。
【００１０】
そして、本発明では、充電池を有する肌用器具を充電装置にセットすると、当該肌用器具の肌に接触する肌接触部が配置部に配置される。そして、配置部に設けられた光照射手段が、当該配置部に配置される肌接触部の肌接触面に光触媒作用を引き起こす波長の光を照射する。
【００１１】
したがって、充電中に拭き取りきれなかった汚れを酸化反応により分解し、また、細菌、カビ等が付着している場合にこれを殺菌するとともに、細菌、カビ等の雑菌の増殖を防止し、さらに消臭効果を得ることができる。
また、肌用器具が充電池の電力で作動するので、肌用器具を定期的に用いたり、比較的頻繁に用いているような場合に、充電装置に肌用器具を装着する機会が多くなる。また、ハンディタイプの機器において、充電装置を機器の収納場所とする場合も多く、この場合は、肌用器具は未使用時に充電装置にセットされた状態とされる。
【００１２】
すなわち、肌用器具を充電装置にセットする機会が多いと考えられ、充電装置にセットしている間に汚れを落としたり、消臭したりできるとともに、殺菌および雑菌の増殖の防止を行うことができ、肌用器具の肌接触面を布や紙で拭き取る程度の処理であっても、肌接触面を清潔に保持することが可能となる。
なお、光照射手段は、たとえば、消費電力が小さく、かつ長寿命なＬＥＤあり、特定の波長が紫外線の場合にＵＶ用のＬＥＤである。
【００１３】
請求項２に記載の肌用装置は、請求項１に記載の発明において、
前記充電装置の前記配置部に前記肌接触面を覆った状態に配置されるとともに前記波長の光を反射する反射部材が設けられていることを特徴とする。
【００１４】
請求項２に記載の発明においては、光照射手段から照射される光は、光触媒コーティングに当たり、一部が光触媒コーティングで反射され、一部が光触媒コーティングに吸収されることになる。
【００１５】
そして、反射された光は肌接触面を覆った状態の反射部材に照射されて再び反射され、再度、光触媒コーティングに照射され、その一部が再び反射されることになる。したがって、光触媒コーティングに照射された光は、光触媒コーティングと反射部材との間で反射を繰り返しながら光触媒コーティングに吸収されて減衰していくことになる。
これにより、光照射手段から照射される光の光量が少ないものであっても、十分な光触媒作用を引き起こすことができ、光触媒作用に必要な光を照射させるための電力量を低減することができる。
【００１６】
請求項３に記載の肌用装置は、請求項１または請求項２に記載の発明において、前記充電装置は、当該充電装置に前記肌用器具がセットされたのを検知するとともに、当該充電装置から前記肌用器具が取り外されたのを検知する装着検知手段を有し、
前記光照射手段は、前記充電池の充電状態に係わらず、前記装着検知手段により前記肌用器具がセットされたことが検知された際に光を照射し、前記肌用器具が取り外されたことが検知された際に光の照射を停止することを特徴とする。
【００１７】
請求項３に記載の肌用装置によれば、肌用器具を充電装置に装着している間、常に光りが肌接触面に照射され、十分な時間をかけて、光触媒作用により汚れの分解、消臭、殺菌作用を得ることができる。また、充電装置に肌用器具を装着したまま、ある程度長い時間放置されるような場合、たとえば、充電が終了しても、そのまま肌用器具が充電装置に装着されたままとなる場合でも、肌接触面に光が照射しつづけられるので、光触媒による抗菌作用により、細菌やカビ等の雑菌の繁殖が抑えられ、衛生的な状態に保持することができる。
【発明の効果】
【００１８】
本発明の肌用装置によれば、充電池を内蔵する肌用器具において、防水性が無いなどの理由により、十分に洗浄することが困難であっても、肌に接触する肌接触面において充電中に汚れの分解、消臭、殺菌等が光触媒作用により行われ、清潔な状態に保つことができる。
【発明を実施するための最良の形態】
【００１９】
以下、本発明の実施の形態に係る肌用装置について、図面を参照しながら説明する。
図１はこの例の肌用装置の肌用器具を示す図であり、図２はこの例の肌用装置の充電装置を示す図であり、図３は充電装置に肌用器具を装着した状態を示す図である。
図１に示す肌用器具１０は、顔やボディの肌に対して、超音波トリートメントや、肌の汚れを落とすイオン導出クレンジングや、肌に化粧水等をイオンとともに導入するイオン導入トリートメントを行うものである。
【００２０】
肌用器具１０は、短い有蓋円筒状の肌接触部１１と、肌接触部１１を露出させた状態で保持するとともに内部に電子回路基板１２および充電池（図示略）を備えるケーシング１３と、ケーシング１３の正面側に設けられる表示部１４と、同様に正面側に設けられる操作部１５とを備える。
【００２１】
肌接触部１１は、基端部より先端部の径が僅かに小さくなっており、正確には円錐台状となっている。そして、正面（先端面）および周面が肌接触面１６となっている。なお、肌接触部１１の周面は、正面との角部等の先端部分は肌と接触するが基端側は実際には肌接触する可能性は低いものとなっている。
また、肌接触部１１には、電子回路基板１２に接続された超音波振動子（図示略）が接続されており、肌接触部１１を超音波振動することが可能となっている。なお、肌接触部１１は、ケーシング１３に対して超音波振動可能にたとえばゴム等の弾性部材を介して接続されている。
【００２２】
そして、肌接触部１１およびケーシング１３等の肌用器具１０の主要構造部分は、合成樹脂製となっており基本的に絶縁性であるが、肌接触部１１の肌接触面１６は、肌接触部１１の正面および周面に金属メッキを施したものとなっている。したがって、肌接触面１６は電導性を有するとともに、金属光沢を有する鏡面となっており、紫外線を含む光を反射可能となっている。
【００２３】
そして、金属メッキとなっている肌接触面１６は、電子回路基板の電極に接続され、電圧を印加可能となっている。
そして、肌接触面１６の金属メッキの表面には、光触媒コーティングが施されている。この光触媒コーティングは、二酸化チタンを主成分とするものであり、その結晶系はアナタースとなっている。この例では、ペルオキソチタン系コーティング剤としてのペルオキソチタン酸溶液（ＰＴＡ溶液）もしくはペルオキソ改質アナターゼゾル（ＰＡゾル）を用いる。これらペルオキソチタン系コーティング剤は、中性でかつ比較的低温でコーティングが可能であり、この例のように合成樹脂表面にメッキを施した肌接触面１６に光触媒コーティングを行うのに好適なものとなっている。すなわち、メッキを腐食せず、かつ、合成樹脂を溶解することなく、コーティングが可能となる。
【００２４】
なお、合成樹脂表面に直接光触媒コーティングを行うと、合成樹脂が酸化されて劣化し、コーティングの剥離の原因となるが、この例では、金属メッキ上に光触媒コーティングを行っているので、合成樹脂を構成する有機物が分解されることがない。
また、光触媒コーティングの膜厚は、たとえば、１μｍ程度以上とすることが好ましい。
【００２５】
前記電子回路基板１２は、この例において、超音波トリートメント用の超音波振動子の駆動回路と、イオン導入およびイオン導出のための低周波パルス電気信号用の駆動回路と、前記表示部１４の表示回路および操作部１５用のスイッチのための回路等を備えている。
【００２６】
また、電子回路基板１２には、図示しない充電池が接続されるとともに、充電池への充電のための充電端子１８が接続されている。
充電端子１８は、肌用器具１０を充電装置５０にセットした際に充電装置５０の充電端子５１と接触するようになっており、充電装置５０から充電池へ充電用の電流を流すためのものである。
【００２７】
また、ＤＣ入力端子１９は、図示しないＡＣアダプタの電源端子を接続可能となっており、ＡＣアダプタのコードにつながれるが肌用器具１０を使用可能な状態で電流を供給可能となるので、充電池の残り電力が少ない状態で、直接肌用器具１０に電流を供給しながら肌用器具１０を使用可能とするものである。
【００２８】
前記ケーシング１３は、全体的には、人の手で握れるサイズの扁平な中空の棒状（曲面から構成された箱状）となっており、先端側に前記肌接触部１１が設けられている。そして、肌接触部１１の部分で一番幅が広くなっている。また、肌接触部１１が設けられる先端側は、円筒状の肌接触部１１に対応して半円状となっている。
また、正面ケーシング２０の正面の先端部は、円柱状に突出した円突出部２３となっており、さらにその円突出部の先端面から同軸上に上述の肌接触部１１が円錐台状に突出した状態となっている。そして、突出する肌接触部１１が正面ケーシング２０から露出した状態となっている。
また、ケーシング１３は、正面側の正面ケーシング２０と、背面側の背面ケーシング２１とに２分割可能な構造となっており、２分割することにより内部を開放可能となっている。
【００２９】
また、ケーシング１３の左右側面には、それぞれ電極グリップ２２，２２が露出した状態に設けられている。電極グリップ２２，２２は、ケーシング１３の左右側面において、正面ケーシング２０と背面ケーシング２１との境目の部分に露出している。そして、電極グリップ２２，２２は、肌接触面１６と同様に金属メッキが施されて導電性とされている。そして、電極グリップ２２，２２の金属メッキは肌接触面１６と同様に電子回路基板１２に接続されている。そして、電子回路基板１２においては、電極グリップ２２，２２と、肌接触面１６との間に電圧を印加可能な構成となっており、一方をプラス，他方をマイナスとして低周波パルスとしての電圧を印加するようになっている。また、電極グリップ２２，２２と肌接触面１６とで電極の極性を入れ替え可能となっており、イオン導入とイオン導出とで、肌接触面１６に印加する電圧をプラスとマイナスとで切り替えるようになっている。
【００３０】
また、正面ケーシング２０の正面には、上述の表示部１４と操作部１５が配置され、表示部には、超音波（ソニック）と、イオン導入と、イオン導出との区別や、これら超音波やイオン用の電圧の強度や、イオン導入とイオン導出におけるプラスとマイナスや動作時間（タイマ）等の表示がなされる。
また、操作部１５には、超音波とイオン導入とイオン導出との選択や、それぞれの場合の強度の設定用の操作ボタンが設けられている。
【００３１】
また、正面ケーシング２０の底面（基端側の面）には、上述の充電端子１８が設けられている。
また、背面ケーシング２１の基端部側には、上述のＤＣ入力端子１９が設けられている。
そして、このような肌用器具は、超音波トリートメントとして使用する場合には、操作部１５を操作して超音波を選択して作動させる。この場合に肌接触部１１が著音波振動し、肌接触部１１の肌接触面１６を肌に接触させながら移動させることにより、超音波トリートメントが可能となる。
【００３２】
また、イオン導入もしくはイオン導出トリートメントとして使用する場合には、肌と肌接触面１６との間にイオンを含む水分が介在している必要があり、たとえば，化粧水を染み込ませたコットン（脱脂綿のシート）をセットするようになっている。なお、コットンを肌接触部１１に固定する図示しない円環状の固定枠で、コットンを肌接触部１１を覆うように取り付けられるようになっている。
そして、手で肌用器具１０を持つ際に、手で電極グリップ２２，２２を触った状態で、濡れたコットンを介して肌接触面１６を肌（皮膚）に接触させることで、肌に低周波パルスの電流を流すことができる。なお、ここでの低周波は、たとえば、１ｋＨｚ程度である。また、イオン導入およびイオン導出と同時に超音波振動を与えることも可能となっている。
【００３３】
図２に示す充電装置５０は、上述の充電端子５１が接続された充電用基板５２、後述のＵＶ・ＬＥＤ５３（紫外線発光ダイオード）を有するＬＥＤ基板５４およびＡＣアダプタの端子が接続される接続端子５５等を保持するケーシング５６を有する。ケーシング５６は、上部ケーシング５７と、底部ケーシング５８とからなり、分離可能となっており、これらの内部に上述の充電用基板５２等が収納されて保持されている。
底部ケーシング５８は、長尺な概略四角の皿状に形成され、その下面に四つの足５９が設けられている。
【００３４】
上部ケーシング５７は、その上部に肌用器具１０を装着可能となっており、前部および後部がそれぞれ高く，中央部が低い状態となっている。また、中央部は、前部が高く後部が低くなる斜面となっている。
そして、上部ケーシング５７において、高くなった前部と後部の間に肌用器具１０が装着されるようになっている。
【００３５】
すなわち、充電装置５０の上部ケーシング５７の前後の中央部は、肌用器具１０の正面側の面がほぼ当接するように当該肌用器具１０が載置される載置台部６０となっている。なお、載置台部６０の中央部には、肌用器具１０が載置された際に表示部１４および操作部１５が充電装置５０側に接触しないように、僅かに上面が低く形成された矩形上の凹部が形成されている。
また、上部ケーシング５７の後部には、上述のように上に延出して高くなった後部掛止部６２が形成されている。
【００３６】
後部掛止部６２の前面には、充電装置５０に装着される肌用器具１０の底面が当接するようになっている。また、後部掛止部６２の上端部の前側には係合突起６１が設けられており、肌用器具１０の底部は、後部掛止部６２の基端部分の載置台部６０と係合突起６１との間に挟まれた状態となる。
また、後部掛止部６２は、その左右側縁部が前に突出し、中央部が後側に凹んだ状態の凹部となっており、突出した左右側縁部の間に肌用器具１０の底部が入るようになっている。なお、充電装置５０に肌用器具１０を装着する際には、肌用器具１０の底部が下となるように斜めとし、底部を後部掛止部６２の下端の載置台部６０と係合突起６１との間に挿入するようにしてから、肌用器具１０を載置台部６０に置いた状態とする。
【００３７】
そして、後部掛止部６２の前面には、上述の充電端子５１が突出した状態となっている。なお、後部掛止部６２の前面には三つの上下に延在するスリットが設けられ、当該スリットから、充電端子５１となる針金状で板バネとして機能する金属部材がＶ字状に曲げられて突出した状態となっている。そして、充電装置５０に肌用器具１０を装着した際に、肌用器具１０の底部の底面に設けられた充電端子１８が充電端子５１に押し当たられた状態となり、充電端子５１が上部ケーシング５７の後部掛止部６２内に押し戻されるように弾性変形し、弾性変形した充電端子５１が面状となった充電端子１８に弾性力で押し付けられることになる。
これにより、充電端子５１と充電端子１８との間で通電した状態となる。
【００３８】
また、上部ケーシング５７の高くなった前部が、前部掛止部６３となっている。前部掛止部６３は、肌用器具１０の半円形状とされた先端面に対応して半円状とされている。すなわち、前部掛止部６３は、半円弧の板状（内部に空間がある場合もある）に形成されている。また左右側円から中央に向かうにつれて高くなる山形に形成されている。
また、上部ケーシング５７の載置台部６０の前部には、肌用器具１０の正面側先端部で前側に突出する概略円柱状（円錐台状）の肌接触部１１を収納する円形の収納凹部６４が形成されている。
【００３９】
収納凹部６４は、その内部に肌接触部１１が配置される本発明の配置部に対応するものとなっている。
収納凹部６４は、その深さ方向に沿って三段階に形状が変化した状態となっており、最も浅い部分が短い円柱状の第１凹部６５とされ、この部分に肌用器具１０の正面ケーシング２０の先端部の円柱状の円突出部２３が挿入された状態となる。なお、第１凹部６５の内周面は、円弧板状の前部掛止部６３の内周面と連続する内周面となっている。
また、第１凹部６５の内径は、肌用器具１０の円突出部２３の外径より僅かに大きくなっている。
【００４０】
また、収納凹部６４の第１凹部６５より深い部分は、第１凹部６５より小径とされた円柱状の第２凹部６６とされており、この第２凹部６６に肌用器具１０の肌接触部１１が収納されるようになっている。また、第２凹部６６の内径は、肌用器具１０の肌接触部１１の外径より僅かに大きくなっている。なお、第２凹部６６は、肌接触部１１に対応して上部より下部の方が僅かに径が小さくなる円錐台状となっており、第２凹部６６に肌接触部１１を挿入した状態で、各高さ位置においては、第２凹部６６の内径の方が肌接触部１１の外径より大きくなっているが、第２凹部６６の最下部の内径より、肌接触部１１の基端部の外径が大きくなっていてもよい。
【００４１】
そして、収納凹部６４の第２凹部６６の下が第３凹部６７となっている。第３凹部６７は、円錐状で先端部が開放された漏斗状となっている。なお、第３凹部６７の先端部の開放された開口部６８には紫外線が透過可能な透明板が嵌め込まれて閉塞されている。
この第３凹部６７は、後述の肌用器具１０の別例としての肌用器具８０に対応したもので、この例の充電装置５０は、肌用器具１０と肌用器具８０とで共用可能な構造となっている。
【００４２】
そして、第３凹部６７は、肌用器具１０の短い円柱状、言い換えれば厚い円板状の肌接触部１１に対して、肌用器具８０の長細い円柱状の肌接触部８１を収納凹部６４に収納可能とするために、収納凹部６４を深くするように設けられたものである。また、後述のように収納凹部６４より径が小さな肌接触部８１に対して、後述の紫外線である反射光を集光するように、円錐状とされている。
そして、第２凹部６６および第３凹部６７の内周面には、紫外線を含む光を反射する反射部材６９に覆われた状態となっている。すなわち、第２凹部６６および第３凹部６７内は、概略漏斗状の反射部材６９が配置され、その上部が前記第２凹部６６とされ、その下部が前記第３凹部６７とされている。
【００４３】
そして、収納凹部６４の最深部となる上述の第３凹部６７の開口部６８に対応するケーシング５６内部の位置には、上述のＬＥＤ基板５４に実装されたＵＶ・ＬＥＤ５３が光の照射方向を前記開口部６８に向けるとともに、収納凹部６４の中心軸方向に向けて配置されている。
したがって、ＵＶ・ＬＥＤ５３から照射された光（紫外線）は、収納凹部６４の最深部にも受けられた開口部６８の紫外線を透過可能な透明板を透過して収納凹部６４内に入り、ＵＶ・ＬＥＤ５３の光の照射方向にある装着された肌用器具１０の肌接触部１１の肌接触面１６に当たることになる。
【００４４】
なお、図３に示すように、肌用器具１０を充電装置５０に装着した状態では、収納凹部６４からＵＶ・ＬＥＤ５３から照射された紫外線が漏れないようになっている。
そして、肌接触面１６には、光触媒コーティングが施されており、上述のＵＶ・ＬＥＤ５３から照射される光によって光触媒反応が起こり、付着した有機物の分解に基づく、セルフクリーニング機能や、消臭機能や、抗菌抗カビ機能を奏し、光触媒コーティングがなされた肌接触面１６を清浄で衛生的な状態とすることができる。
【００４５】
そして、このＵＶ・ＬＥＤ５３が肌用器具１０の肌接触部１１の肌接触面１６に形成された光触媒コーティングに当該光触媒コーティングに光触媒作用を起こさせる波長の光を照射する光照射手段となっている。
なお、光触媒コーティングにおいては、光触媒作用を起こさせるために、たとえば、４００ｎｍより波長の短い光、すなわち紫外線を必要とし、たとえば、アナタースの場合には３８８ｎｍ以下の波長の紫外線を照射することが好ましい。
【００４６】
なお、この例にＵＶ・ＬＥＤ５３から照射される光のピークは、たとえば、４００ｎｍ未満となっており、たとえば、３９５ｎｍや、３８５ｎｍや、３７５ｎｍや、３６５ｎｍをピークとするようなＵＶ・ＬＥＤであってもよい。なお、たとえば、３９５ｎｍのＵＶ・ＬＥＤでも、照射される光に３７０ｎｍ以下の波長の光も僅かに含まれており、光触媒作用を起こすことが可能であるが、効率的に利用する上では、３９５ｎｍよりも波長の短い光を照射可能なＵＶ・ＬＥＤを用いることが好ましい。
【００４７】
また、紫外線に殺菌作用があることが知られているが、殺菌作用を呈する紫外線の波長は、たとえば、２６５ｎｍなどであり、上述のような波長のＵＶ・ＬＥＤ５３では紫外線による十分な殺菌効果は望めない。なお、上述の３５０ｎｍ以上の波長のＵＶ・ＬＥＤだけではなく、もっと低波長のＵＶ・ＬＥＤも開発されており、殺菌作用のある波長の紫外線を用いてもよい。また、たとえば、３００ｎｍ〜２００ｎｍ程度の紫外線でも光触媒作用が機能するので、この場合に光触媒作用による殺菌と紫外線による殺菌とを併用した状態となる。
なお、この例においては、特に紫外線による殺菌効果がなくてもよく、上述のようにピークが３９５ｎｍ程度の安価なＵＶ・ＬＥＤ５３を用いてもよい。
【００４８】
この例においては、ＵＶ・ＬＥＤ５３から肌接触面１６に照射された紫外線は、肌接触面１６にコーティングされた光触媒によって吸収され、光触媒作用を起こすことになる。なお、一部の光は光触媒コーティングと空気の界面で反射されて、反射部材６９に照射されて再び反射される。そして、反射部材６９で反射された紫外線は再び光触媒コーティングに照射される。これによって、ＵＶ・ＬＥＤ５３から照射された光は、光触媒コーティング表面と反射部材６９との間で反射を繰り返しながら光触媒コーティングに吸収されて減衰することになり、ＵＶ・ＬＥＤ５３から照射された光が効率的に光触媒に利用されることになる。
したがって、ＵＶ・ＬＥＤ５３から照射される光の出力が比較的に弱くても十分に光触媒による効果を発揮することができ、省電力化とコストの低減を図ることができる。また、比較的安価な３９５ｎｍ程度をピークとするＵＶ・ＬＥＤ５３を用いてコストダウンを図ることも可能となる。
【００４９】
ＵＶ・ＬＥＤ５３が表面実装されたＬＥＤ基板５４は、充電用基板５２に接続されている。
また、これらＬＥＤ基板５４および充電用基板５２は、接続端子５５に接続されている。接続端子５５は、上述のＡＣアダプタの端子が接続されるものである。なお、充電装置５０の接続端子５５は、肌用器具１０のＤＣ入力端子１９と同じ構造のものとなっており、上述の肌用器具１０で使用されたのと同じＡＣアダプタを利用可能となっている。
そして、接続端子５５で接続されたＡＣアダプタから充電用基板５２およびＬＥＤ基板５４に電力が供給され、肌用器具１０への充電と、ＵＶ・ＬＥＤ５３の点灯とが行われるようになっている。
そして、ＬＥＤ基板５４によりＵＶ・ＬＥＤ５３に電力が供給されてＵＶ・ＬＥＤ３５が紫外線を照射するとともに、紫外線照射のＯＮ、ＯＦＦが制御される。
【００５０】
また、充電用基板５２は、充電装置５０に設けられた充電端子５１と、肌用器具１０に設けられた充電端子１８との通電を検知する検知回路を有するものとなっており、充電装置５０に肌用器具１０が装着されたか否かを検知できるようになっている。すなわち、充電用基板５２は、充電装置５０に肌用器具１０がセットされたのを検知するとともに、充電装置５０から肌用器具１０が取り外されたのを検知する装着検知手段として機能する。
そして、充電用基板５２からＬＥＤ基板５４には、上述の検知回路からの信号が入力するようになっており、肌用器具１０が充電装置５０に装着されて充電端子５１と充電端子１８が通電するとＵＶ・ＬＥＤ５３が点灯し、肌用器具１０が充電装置５０から取り外されて充電端子５１と充電端子１８との通電が解除されるとＵＶ・ＬＥＤ５３が消灯するようになっている。
【００５１】
なお、充電装置５０による肌用器具１０の充電池が満充電となると、充電用基板５２もしくは電子回路基板１２に設けられた充電制御回路により、充電が停止されるが、充電が停止されてもＵＶ・ＬＥＤ５３は点灯した状態に維持されるように制御される。すなわち、充電状態に係わらす、肌用器具１０が充電装置５０に装着している間は、ＵＶ・ＬＥＤが点灯した状態に維持される。
【００５２】
以上のような肌用器具１０と充電装置５０からなる肌用装置においては、肌に接触する肌接触部１１の肌接触面１６が皮膚に接触することで皮脂等で汚れたり、使用時に用いられる化粧水やクリームやジェル等により汚れたりしていても、それを拭き取る程度の処理で充電装置５０に肌用器具１０を装着することで、肌接触面１６の光触媒コーティングに紫外線が照射され光触媒作用が生ずる。これにより、汚れの主要素である有機物が酸化されて分解され、汚れが落ちるとともに、消臭、抗菌抗カビ効果を得ることができる。
【００５３】
したがって、肌用器具１０を使用する際に改めて水を含む布で拭いたり、消毒剤や殺菌剤を塗布したりしなくても衛生的に使用することができる。なお、使用前に肌接触面１６の拭き取り等を行えば、分解された遊技物の残渣等を拭き取ることができるので、使用前に拭き取りを行ってもよい。
また、基本的に光触媒作用は、光触媒コーティングに接触している部分で起こるので、あまり汚れが厚く付いてしまうと、十分な光触媒の作用を得ることができないので、使用後に軽く肌接触面１６を拭き取る等の清掃を行うことが好ましい。
そして、この例では、人で拭き取っても取り切れないような汚れを除去できるとともに、消臭殺菌効果で肌接触面１６を清潔な状態に保つとともに、雑菌の増殖を確実に防止することが可能となる。
【００５４】
なお、この例では、上記充電装置５０を以下に示す別例としての図４に示す肌用器具８０に用いることもできる。
肌用器具８０の肌接触部８１とその周囲の環状ＬＥＤ部８２を除いて上述の肌用器具１０とほぼ同様の構成となっているので、図４において肌用器具１０と同様の構成部分に同じ符号を付して、環状ＬＥＤ部８２および肌接触部８１を除く部分の説明を省略する。
肌接触部８１は、その先端側が細い円柱状で、基端側は基端に向かうほど径が大きくなる円錐台状に形成され、その先端部が基本的に肌に接触することになるが、ここでは、表面構造が先端部とそれより基端側とで変化がないので、肌接触部８１の先端面および周面の全体を肌接触面８６とする。
【００５５】
そして、肌接触部８１は、上述の肌用器具１０の肌接触部８１と同様の機能を有するもので超音波振動するものとなっている。なお、肌用器具１０が顔だけではなく体全体に対応したものだったのに対して肌用器具８０は基本的に顔用となっており、顔の隅々まで容易にトリートメントできるように先端部が肌接触部１１よりも小径となっているともに前に長く延出している。
また、肌接触部８１においても、低周波パルスの電圧を印加できるようになっていてもよい。
【００５６】
そして、環状ＬＥＤ部８２は、フォトフェイシャルトリートメントを行うためのもので、環状ＬＥＤ部８２に環状に並べて配置されたＬＥＤ８３（発光ダイオード）からの光を皮膚に照射するものである。なお、ＬＥＤの光の照射により細胞が活性化し、傷の治癒が早くなるなどの知見が発表されている。
そして、この例では、ＬＥＤは、赤と青との二色ＬＥＤとなっており、赤の波長の光と、青の波長の光を照射可能となっている。
【００５７】
そして、この肌用器具８０においても、肌接触面８６には金属メッキが施されて肌接触面１６と同様に鏡面状とされるとともに、肌接触面８６に上述の光触媒コーティングが施されている。これにより、肌用器具８０の場合と同様に肌接触面８６における汚れの除去と消臭と抗菌抗カビとの効果を得ることができる。
なお、充電装置５０は、前述のものなので、図５に示すように、反射部材６９が肌接触部８１に対して大径となり、反射部材６９と光触媒コーティングとの間に距離があくが、主に肌に接触する肌接触部８１の先端面（肌接触面８６の一部）は、ＵＶ・ＬＥＤ５３に近く、十分な光触媒作用を期待てきる。また、肌接触部８１の周面となる肌接触面８６の部分に対しては、上述のように反射部材６９の下部が円錐状となっているので、肌接触部８１の周面に反射光（紫外線）が集められ、十分な光触媒機能を得ることができる。
【図面の簡単な説明】
【００５８】
【図１】本発明の実施の形態に係る肌用装置の肌用器具を示すであって、（ａ）は正面図であり、（ｂ）は側面図であり、（ｃ）は背面図であり、（ｄ）は平面図であり、（ｅ）は底面図である。
【図２】前記肌用装置の充電装置を示す図であって、（ａ）は平面図であり、（ｂ）は側面図であり、（ｃ）は底面図であり、（ｄ）は正面図であり、（ｅ）は背面図である。
【図３】前記充電装置に肌用器具を装着した状態を示す一部を透過した側面図である。
【図４】前記肌用器具の別例を示す図であって、（ａ）は正面図であり、（ｂ）は側面図であり、（ｃ）は背面図であり、（ｄ）は平面図であり、（ｅ）は底面図である。
【図５】別例の前記肌用器具を充電装置に装着した状態を示す図であって、一部を透過した側面図である。
【符号の説明】
【００５９】
１０    肌用器具
１１    肌接触部
１６    肌接触面
５０    充電装置
５２    充電用基板（装着検知手段）
５３    ＵＶ・ＬＥＤ（光照射手段）
６４    収納凹部（配置部）
６９    反射部材
８０    肌用器具
８１    肌接触部
８２    肌接触面
【図１】
2010029250.tif 000003
【図２】
2010029250.tif 000004
【図３】
2010029250.tif 000005
【図４】
2010029250.tif 000006
【図５】
2010029250.tif 000007